(57)【要約】【課題】  簡単かつ安価に製造でき、また手軽に使用でき、しかも所要の締め付け力を得て、テーピング機能を発揮させることができるテーピング機能付き靴下を得る。【解決手段】  テーピング機能付き靴下１０は、足首、足の裏、足の甲、その他適宜の部位を締め付けてホールドすることができる帯状の締め付け部１１，１２を備えている。このテーピング機能付き靴下は、全体が柔軟性をもつ素材で形成されるとともに、テーピングを必要とする締め付け部に、のびが少なくしかも熱により溶ける素材からなる糸を縫い込むとともに、該締め付け部に相当する部位を加熱、加圧して熱溶着させることによって形成する。【選択図】図１
2007175465.tif 000002
【特許請求の範囲】
【請求項１】
足首、足の裏、足の甲、その他適宜の部位を締め付けてホールドすることができる帯状締め付け部を備えているテーピング機能付き靴下であって、
このテーピング機能付き靴下は、全体が柔軟性をもつ繊維素材で形成されるとともに、
テーピングを必要とする締め付け部に、のびが少なくしかも熱により溶ける繊維素材からなる糸材を縫い込むとともに、
該締め付け部に相当する部位を加熱、加圧して熱溶着させることによって形成することを特徴とするテーピング機能付き靴下。
【請求項２】
請求項１記載のテーピング機能付き靴下において、
熱溶着させることにより形成した帯状締め付け部は、他の部分よりも伸びが抑制されていることを特徴とするテーピング機能付き靴下。
【請求項３】
請求項１または請求項２記載のテーピング機能付き靴下において、
帯状の締め付け部は、該部位の編み方、素材の材質、素材の使用量を他の部位と異ならせることにより形成されていることを特徴とするテーピング機能付き靴下。
【請求項４】
請求項３記載のテーピング機能付き靴下において、
帯状の締め付け部は、該部位の編み方、素材の材質、素材の使用量によって異なる加熱温度、加圧力が加えられることにより形成されていることを特徴とするテーピング機能付き靴下。
【発明の詳細な説明】
【技術分野】
【０００１】  本発明は、足、たとえば足の裏、足の甲、さらに足首やかかと、アキレス腱などに対して所要の方向性をもった締め付け力を与えることにより、いわゆるテーピング機能を発揮させることが可能なテーピング機能付き靴下に関する。
【背景技術】
【０００２】  従来から、各種のスポーツの障害やリハビリテーションなどの受傷後の応急処置、補助手段、再発防止等のテーピングの行為による処置が普及している。この種のテーピングは、関節、筋肉、腱、靱帯等を補強するためにテープを身体の一部に貼ることをいい、外傷、障害などの予防、外傷の応急処置、治療、再発予防に役立つものである。テープとしては、のりの付いたテープや伸縮性のある帯体があり、これらを該当する部分に貼り付けたり、巻き付けたりすることで、各種障害の治療や予防に対応するようになっている。【０００３】  しかし、この種のテーピングは、適用する部位や用途によって種々の手法があり、一般の人には理解しにくいこともあり、習熟することが難しいという問題があった。
このため、従来からこの種のテーピングを比較的簡単に行えるようにするために、特にこの種のテーピングに対する要請が大きい足首等に対して所要の締め付け力を与えることができるようにしたテーピングソックスが、従来既に提案されている。【０００４】  すなわち、従来この種のテーピングソックスは、柔軟な伸縮性の布地からなる長靴下の所定箇所に、マジックテープ（登録商標）のような帯状のテープの一端を設け、該テープを足の所定箇所に巻き付けて他端を固定することにより、当該巻き付け部に所要の締め付け力を与えるようにしたものである（例えば、特許文献１参照）。【０００５】  また、従来この種のテーピングソックスとして、ソックスの一部、たとえばアキレス腱をホールドする部分の編み目を他の箇所よりも密に形成するとともに、ゴム糸を縫い込ませることにより締め付け部を構成するようにし、これにより足首のホールド感を得てテーピング機能を持たせるようにしたものも、知られている（例えば、特許文献２参照）。【０００６】
【特許文献１】  実開平７−２１０８５号公報
【特許文献２】  実用新案登録第３０９０７３７号公報
【発明の開示】
【発明が解決しようとする課題】
【０００７】  しかし、上述した従来のテーピングソックスにおいて、前者のものは、マジックテープからなる帯状テープを足の所定箇所に巻き付けているから、所要のテーピング効果は得やすいものの、構成部品点数が多くなり、製造も面倒で、また取り扱いも不便である等の欠点があった。【０００８】  また、後者のものでは、締め付け部に伸びのある素材を用いていることから、テーピング効果に乏しく、しかも締め付け部の形成が面倒かつ煩雑であり、コスト高を招くという欠点があった。【０００９】  特に、テーピングは、関節、筋肉、腱、靱帯を補強するためにテープを身体の一部に張ることにより、外傷、障害の予防、外傷の応急処置、治療（リハビリテーション）、再発予防に役立つものであり、このようなテーピングの機能を発揮させることができ、しかも手軽に使用でき、さらに簡単に製造して得ることができる何らかの対策を講じることが望まれている。【００１０】  本発明はこのような事情に鑑みてなされたものであり、簡単な方法により製造することが可能で、また手軽に使用できて、しかも所要の締め付け力を得ることができ、テーピング機能を発揮させることができるテーピング機能付き靴下を得ることを目的とする。
【課題を解決するための手段】
【００１１】  このような目的に応えるために本発明（請求項１記載の発明）に係るテーピング機能付き靴下は、足首、足の裏、足の甲、その他適宜の部位を締め付けてホールドすることができる帯状締め付け部を備えているテーピング機能付き靴下であって、このテーピング機能付き靴下は、全体が柔軟性をもつ繊維素材で形成されるとともに、テーピングを必要とする締め付け部に、のびが少なくしかも熱により溶ける繊維素材からなる糸材を縫い込むとともに、該締め付け部に相当する部位を加熱して熱溶着させることによって形成することを特徴とする。【００１２】  本発明（請求項２記載の発明）に係るテーピング機能付き靴下は、請求項１記載のテーピング機能付き靴下において、熱溶着させることにより形成した帯状締め付け部は、他の部分よりも伸びが抑制されていることを特徴とする。【００１３】  本発明（請求項３記載の発明）に係るテーピング機能付き靴下は、請求項１または請求項２記載のテーピング機能付き靴下において、帯状の締め付け部は、該部位の編み方、素材の材質、素材の使用量を他の部位と異ならせることにより形成されていることを特徴とする。【００１４】  本発明（請求項４記載の発明）に係るテーピング機能付き靴下は、請求項３記載のテーピング機能付き靴下において、帯状の締め付け部は、該部位の編み方、素材の材質、素材の使用量によって異なる加熱温度、加圧力が加えられることにより形成されていることを特徴とする。
【発明の効果】
【００１５】  以上説明したように本発明に係るテーピング機能付き靴下によれば、他の部位に比べて締め付け部の伸びが抑えられているため、足にはいた際に所要の締め付け力を作用させ、当該部位を固定することが可能であり、いわゆるテーピングとほぼ同等の効果を与えることができる。【００１６】  特に、本発明によれば、当該締め付け部を、熱により溶融される素材で形成することにより、所要の部位を簡単に締め付け部として構成することが可能であり、製造が簡単で、コスト的にも安価である等の利点がある。【００１７】  そして、上述したように形成されるテーピング機能付き靴下によれば、誰でもがはくだけで、足首や、足の甲、足の裏を始めとして各所の所要のテーピング機能を作用させることが可能であり、たとえば足がつりそうな時、つってしまった時、足の裏の疲労回復に、また足首の捻挫予防、外反母趾の防止などに効果を発揮し得るものである。
【発明を実施するための最良の形態】
【００１８】  図１（ａ），（ｂ）は本発明に係るテーピング機能付き靴下の一実施形態を示すものであり、同図において、符号１０はテーピング機能付き靴下で、周知の通り、足の形状に合わせた形状で形成されている。この実施形態では、靴下として一般的なソックス形状をもつものである場合を説明する。【００１９】  本発明によれば、たとえば足首、足の裏、足の甲、その他適宜の部位を締め付けてホールドすることができるテーピング機能付き靴下１０を、全体が柔軟性をもつ繊維素材で形成するとともに、テーピングを必要とする帯状の締め付け部１１，１２を、のびが少なくしかも熱により溶ける繊維素材からなる糸材を縫い込むとともに、その相当する部位を加熱、加圧して熱溶着させることによって形成することを特徴とする。【００２０】  なお、この実施形態では、ふくらはぎをホールドする締め付け部１１と踵を保持する締め付け部１２とを形成したテーピング機能付き靴下１０である場合を説明する。尤も、この実施形態には限定されず、たとえば図２（ａ），（ｂ）、図３（ａ），（ｂ）に示すように、ふくらはぎを保持する締め付け部１１と踵を保持する締め付け部１２とを、それぞれ図示したような形状で形成してもよいことは言うまでもない。【００２１】  上述したように形成される帯状の締め付け部１１，１２によれば、熱溶着させることにより形成することで、他の部分よりも伸びが抑制され、これにより当該部分に所要のホールド感、締め付け力を与えることができるのである。【００２２】  上述した帯状の締め付け部１１，１２を製造するには、靴下１０において当該部分を熱により融ける化学繊維素材（熱溶着糸、たとえばポリアミド、ポリエステルなどによる）を用いて形成し、加熱、加圧して熱溶融させた後、冷却することにより凝固させ、伸張率を下げて伸びが小さくなるようにするとよい。要は、所要の部位の伸びを抑制し、締め付け部として構成できればよいのである。【００２３】  なお、上述した熱溶着糸としては、熱溶着にあたっての温度がたとえば１０５℃前後程度の比較的低温で、圧力が０．８〜１．３Ｋｇ／ｃｍ２程度行える素材を用いるとよい。これは、処理温度が高くなりすぎると、溶着が他の部分にも広がり、また処理部の強度が維持できなくなるおそれがあるからである。【００２４】  また、上述した熱溶着の処理にあたっては、素材の材質、糸材の使用量、編み方（編み組織）によって温度、加圧の条件が異なるものである。ここで、たとえばパイル地の場合は相当な割合で伸びを抑えることができる。また、平編み地の場合は、全く伸びがなくなる。したがって、これらの点を考慮し、テーピングの要請のある部位、使用目的に応じて適宜設定することが必要である。【００２５】  このようなテーピング機能付き靴下１０は、熱溶着糸を必要な部位に編み込み、仕上げの段階で適切な熱と圧力とを与えることにより、熱溶着位置を溶かして固めることで、所要の帯状締め付け部１１，１２を形成できるのである。ここで、上記の加熱、加圧は、たとえば靴下１０を型にはかせた状態で行うとよい。【００２６】  なお、本発明は上述した実施の形態で説明した構造には限定されず、各部の形状、構造等を適宜変形、変更し得ることはいうまでもない。【００２７】  たとえば、上述した実施形態では、本発明に係るテーピング機能付き靴下１０を、ふくらはぎと踵をホールドするものとした場合を説明したが、これに限らず、図４（ａ），（ｂ）に示すように、足首をホールドできるようにした締め付け部１３，１４で構成してもよい。さらに、締め付け部形成部位としても、つま先等をホールドすることで外反母趾を抑制できるようにする等の変形例もある。【００２８】  また、上述した実施形態では、本発明に係るテーピング靴下１０を、膝から下のハイソックスの例を示している。しかし、これに限らず、ストッキング、オーバーニー、短靴下、アンクレット、フートカバー等といった靴下にも適用できることは言うまでもない。
【図面の簡単な説明】
【００２９】
【図１】  本発明に係るテーピング機能付き靴下の一実施形態を示し、（ａ）は正面図、（ｂ）は側面図である。
【図２】  本発明に係るテーピング機能付き靴下の別の実施形態を示し、（ａ）は正面図、（ｂ）は側面図である。
【図３】  本発明に係るテーピング機能付き靴下の他の実施形態を示し、（ａ）は正面図、（ｂ）は側面図である。
【図４】  本発明に係るテーピング機能付き靴下のさらに別の実施形態を示し、（ａ）は側面図、（ｂ）は正面図である。
【符号の説明】
【００３０】  １０…テーピング機能付き靴下、１１，１２…帯状の締め付け部、１３，１４…帯状の締め付け部。
【図１】
2007175465.tif 000003
【図２】
2007175465.tif 000004
【図３】
2007175465.tif 000005
【図４】
2007175465.tif 000006